(57)【特許請求の範囲】
【請求項１】
尿を吸収する吸収性物品に取り付けられた複数のセンサ素子が、インピーダンスの変化を測定し、測定したインピーダンスの変化を経時的に処理して、排尿動態を解析するための排尿解析部を含む排尿動態解析装置であって、
前記排尿解析部は、吸収量算定部と姿勢判定部とを含んで構成されており、
前記吸収量算定部は、前記複数のセンサ素子によって経時的に連続して測定されたインピーダンスから、各々の測定時の尿吸収量を算定し、
前記姿勢判定部は、各々の測定時の着用者の姿勢を判定し、
前記吸収量算定部は、各々の測定時のインピーダンスが、直前の測定時のインピーダンスから所定量以上変化していない場合には、該直前の測定時に用いた尿量計算式を選択し、所定量以上変化した場合には、前記姿勢判定部によって判定された姿勢に対応する尿量計算式を選択して、各々の測定時のインピーダンスから、尿吸収量を算定する排尿動態解析装置。
【請求項２】
前記姿勢判定部は、着用者に取り付けられた３軸加速度センサから送られるＸＹＺ軸の３方向の出力値から、着用者の姿勢を判定する請求項１記載の排尿動態解析装置。
【請求項３】
前記姿勢判定部は、うつ伏せ、仰向け正面、仰向け横向き、座る正面、座る横向き、膝曲げ正面、及び膝曲げ横向きを含む各姿勢の何れであるかを判定する請求項２記載の排尿動態解析装置。
【請求項４】
複数のセンサ素子が取り付けられた吸収性物品を着用した模擬着用者がとっている、うつ伏せ、仰向け正面、仰向け横向き、座る正面、座る横向き、膝曲げ正面、及び膝曲げ横向きを含む各姿勢における、吸収性物品に注入された尿を模した液体の注入量と、前記複数のセンサ素子によって測定された液体の広がりのセンサ出力との相関関係から、近似式による検量線を得て、各姿勢に対応する尿量計算式が予め求められており、前記吸収量算定部は、前記姿勢判定部によって判定された着用者の姿勢に対応する尿量計算式を、予め求められた尿量計算式から選択して、尿吸収量を算定する請求項３記載の排尿動態解析装置。
【請求項５】
排尿抽出部をさらに備えており、該排尿抽出部は、前記吸収量算定部で算定された各々の測定時の尿吸収量のデータから、排尿時における前記吸収性物品による尿吸収量の経時的変化のデータを抽出する請求項１〜４のいずれか１項記載の排尿動態解析装置。
【請求項６】
前記排尿抽出部は、前記吸収量算定部で算定された各々の測定時の尿吸収量のデータから、ノイズを除去する請求項５記載の排尿動態解析装置。
【請求項７】
排尿選出部をさらに備えており、該排尿選出部は、前記排尿抽出部によって抽出された前記排尿時における尿吸収量の経時的変化のデータについて、前記吸収性物品を交換した後、何回目の排尿時における尿吸収量の経時的変化のデータかを判定して、各々の排尿時における尿吸収量の経時的変化のデータを選び出す請求項５又は６記載の排尿動態解析装置。
【請求項８】
尿を吸収する吸収性物品に取り付けられた複数のセンサ素子によって測定された、インピーダンスの経時的な変化に基づく着用者の排尿データを処理して、排尿動態を解析する排尿動態解析方法であって、
少なくとも、吸収量算定ステップと姿勢判定ステップとを含み、
前記吸収量算定ステップでは、前記複数のセンサ素子によって経時的に連続して測定されたインピーダンスから、予め定められた尿量計算式を用いて、各々の測定時の尿吸収量を算定し、
前記姿勢判定ステップでは、各々の測定時の着用者の姿勢を判定し、
前記吸収量算定ステップでは、各々の測定時のインピーダンスが、直前の測定時のインピーダンスから所定量以上変化していない場合に、該直前の測定時に前記姿勢判定ステップにおいて判定された着用者の姿勢に対応する尿量計算式を選択して、各々の測定時のインピーダンスから、尿吸収量を算定する排尿動態解析方法。
【請求項９】
排尿抽出ステップをさらに備えており、該排尿抽出ステップでは、前記吸収量算定ステップで算定された各々の測定時の尿吸収量のデータから、排尿時における前記吸収性物品による尿吸収量の経時的変化のデータを抽出する請求項８記載の排尿動態解析方法。
【請求項１０】
前記排尿抽出ステップでは、前記吸収量算定ステップで算定された各々の測定時の尿吸収量のデータから、ノイズを除去する請求項９記載の排尿動態解析方法。
【請求項１１】
排尿選出ステップをさらに備えており、該排尿選出ステップでは、前記排尿抽出ステップによって抽出された前記排尿時における尿吸収量の経時的変化のデータについて、前記吸収性物品を交換した後、何回目の排尿時における尿吸収量の経時的変化のデータかを判定して、各々の排尿時における尿吸収量の経時的変化のデータを選び出す請求項９又は１０記載の排尿動態解析方法。
【請求項１２】
尿を吸収する吸収性物品に取り付けられた複数のセンサ素子が、インピーダンスの変化を測定し、測定したインピーダンスの変化を経時的に処理して、排尿動態を解析するための排尿解析部を含む排尿動態解析装置であって、
前記排尿解析部は、吸収量算定部と、排尿抽出部と、排尿選出部とを含んで構成されており、
前記吸収量算定部は、前記複数のセンサ素子によって経時的に連続して測定されたインピーダンスから、各々の測定時の尿吸収量を算定し、
前記排尿抽出部は、前記吸収量算定部で算定された各々の測定時の尿吸収量のデータから、排尿時における前記吸収性物品による尿吸収量の経時的変化のデータを抽出し、
前記排尿選出部は、前記排尿抽出部によって抽出された前記排尿時における尿吸収量の経時的変化のデータについて、前記吸収性物品を交換した後、何回目の排尿時における尿吸収量の経時的変化のデータかを判定して、各々の排尿時における尿吸収量の経時的変化のデータを選び出し、
前記排尿選出部は、前記排尿抽出部で抽出された各々の排尿時における尿吸収量の経時的変化のデータに基づいて、各々の排尿時の推定吸収量を算定する推定吸収量算定部を備えており、
該推定吸収量算定部は、排尿時排尿量算定時設定部を備えており、該排尿時排尿量算定時設定部では、前記排尿抽出部で抽出された各々の排尿時における尿吸収量の経時的変化のデータに基づいて、各々の排尿時の推定吸収量を算定する際に、排尿の開始から何秒又は何分後の測定時におけるデータから推定排尿量を算定するかを設定できるようになっている排尿動態解析装置。
【請求項１３】
前記各々の排尿時の推定吸収量は、排尿の開始から３０秒〜１５分後の測定時におけるデータから算定するように設定される請求項１２記載の排尿動態解析装置。
【請求項１４】
前記各々の排尿時の推定吸収量を、排尿の開始から何秒又は何分後の測定時におけるデータから算定するかは、吸収性物品における尿の吸収のし易さ、及び複数のセンサ素子によるセンサ感度に応じて設定される請求項１２又は１３記載の排尿動態解析装置。
【請求項１５】
前記排尿抽出部は、前記吸収量算定部で算定された各々の測定時の尿吸収量のデータから、ノイズを除去する請求項１２〜１４のいずれか１項記載の排尿動態解析装置。
【請求項１６】
尿を吸収する吸収性物品に取り付けられた複数のセンサ素子が、インピーダンスの変化を測定し、測定したインピーダンスの変化を経時的に処理して、排尿動態を解析するための排尿解析部を含む排尿動態解析装置であって、
前記排尿解析部は、吸収量算定部と、排尿抽出部と、排尿選出部とを含んで構成されており、
前記吸収量算定部は、前記複数のセンサ素子によって経時的に連続して測定されたインピーダンスから、各々の測定時の尿吸収量を算定し、
前記排尿抽出部は、前記吸収量算定部で算定された各々の測定時の尿吸収量のデータから、排尿時における前記吸収性物品による尿吸収量の経時的変化のデータを抽出し、
前記排尿選出部は、前記排尿抽出部によって抽出された前記排尿時における尿吸収量の経時的変化のデータについて、前記吸収性物品を交換した後、何回目の排尿時における尿吸収量の経時的変化のデータかを判定して、各々の排尿時における尿吸収量の経時的変化のデータを選び出し、
前記排尿選出部は、前記排尿抽出部で抽出された各々の排尿時における尿吸収量の経時的変化のデータに基づいて、各々の排尿時の推定吸収量を算定する推定吸収量算定部を備えており、
該推定吸収量算定部は、アウター部材選択部を備えており、該アウター部材選択部において選択されたアウター部材の種類に応じて予め設定された所定の係数をかけ合わせて、各々の排尿時の推定吸収量を算定する排尿動態解析装置。
【請求項１７】
前記アウター部材の種類に応じて予め設定された所定の係数は、基準アウター部材における係数を１として、該基準アウター部材を用いた場合の吸収量と各々のアウター部材を用いた場合の吸収量とを比較した相対値として設定されている請求項１６記載の排尿動態解析装置。
【請求項１８】
前記排尿抽出部は、前記吸収量算定部で算定された各々の測定時の尿吸収量のデータから、ノイズを除去する請求項１６又は１７項記載の排尿動態解析装置。
【請求項１９】
尿を吸収する吸収性物品に取り付けられた複数のセンサ素子によって測定された、インピーダンスの経時的な変化に基づく着用者の排尿データを処理して、排尿動態を解析する排尿動態解析方法であって、
少なくとも、吸収量算定ステップと、排尿抽出ステップと、排尿選出ステップとを含み、
前記吸収量算定ステップでは、前記複数のセンサ素子によって経時的に連続して測定されたインピーダンスから、予め定められた尿量計算式を用いて、各々の測定時の尿吸収量を算定し、
前記排尿抽出ステップでは、前記吸収量算定ステップで算定された各々の測定時の尿吸収量のデータから、排尿時における前記吸収性物品による尿吸収量の経時的変化のデータを抽出し、
前記排尿選出ステップでは、前記排尿抽出ステップによって抽出された前記排尿時における尿吸収量の経時的変化のデータについて、前記吸収性物品を交換した後、何回目の排尿時における尿吸収量の経時的変化のデータかを判定して、各々の排尿時における尿吸収量の経時的変化のデータを選び出し、
前記排尿選出ステップは、前記排尿抽出ステップで抽出された各々の排尿時における尿吸収量の経時的変化のデータに基づいて、各々の排尿時の推定吸収量を算定する推定吸収量算定ステップを含んでおり、
該推定吸収量算定ステップは、排尿時排尿量算定時設定ステップを含んでおり、該排尿時排尿量算定時設定ステップでは、前記排尿抽出ステップで抽出された各々の排尿時における尿吸収量の経時的変化のデータに基づいて、各々の排尿時の推定吸収量を算定する際に、排尿の開始から何秒又は何分後の測定時におけるデータから推定排尿量を算定するかを設定できるようになっている排尿動態解析方法。
【請求項２０】
前記排尿抽出ステップでは、前記吸収量算定ステップで算定された各々の測定時の尿吸収量のデータから、ノイズを除去する請求項１９記載の排尿動態解析方法。
【請求項２１】
尿を吸収する吸収性物品に取り付けられた複数のセンサ素子によって測定された、インピーダンスの経時的な変化に基づく着用者の排尿データを処理して、排尿動態を解析する排尿動態解析方法であって、
少なくとも、吸収量算定ステップと、排尿抽出ステップと、排尿選出ステップとを含み、
前記吸収量算定ステップでは、前記複数のセンサ素子によって経時的に連続して測定されたインピーダンスから、予め定められた尿量計算式を用いて、各々の測定時の尿吸収量を算定し、
前記排尿抽出ステップでは、前記吸収量算定ステップで算定された各々の測定時の尿吸収量のデータから、排尿時における前記吸収性物品による尿吸収量の経時的変化のデータを抽出し、
前記排尿選出ステップでは、前記排尿抽出ステップによって抽出された前記排尿時における尿吸収量の経時的変化のデータについて、前記吸収性物品を交換した後、何回目の排尿時における尿吸収量の経時的変化のデータかを判定して、各々の排尿時における尿吸収量の経時的変化のデータを選び出し、
前記排尿選出ステップは、前記排尿抽出ステップで抽出された各々の排尿時における尿吸収量の経時的変化のデータに基づいて、各々の排尿時の推定吸収量を算定する推定吸収量算定ステップを含んでおり、
該推定吸収量算定ステップは、アウター部材選択ステップを含んでおり、該アウター部材選択ステップにおいて選択されたアウター部材の種類に応じて予め設定された所定の係数をかけ合わせて、各々の排尿時の推定吸収量を算定する排尿動態解析方法。
【請求項２２】
前記排尿抽出ステップでは、前記吸収量算定ステップで算定された各々の測定時の尿吸収量のデータから、ノイズを除去する請求項２１記載の排尿動態解析方法。
【請求項２３】
尿を吸収する吸収性物品に取り付けられた複数のセンサ素子が、インピーダンスの変化を測定し、測定したインピーダンスの変化を経時的に処理して、排尿動態を解析するための排尿解析部を含む排尿動態解析装置であって、
前記排尿解析部は、吸収量算定部と、排尿抽出部と、排尿選出部と、姿勢判定部とを含んで構成されており、
前記吸収量算定部は、前記複数のセンサ素子によって経時的に連続して測定されたインピーダンスから、各々の測定時の尿吸収量を算定し、
前記排尿抽出部は、前記吸収量算定部で算定された各々の測定時の尿吸収量のデータから、排尿時における前記吸収性物品による尿吸収量の経時的変化のデータを抽出し、
前記排尿選出部は、前記排尿抽出部によって抽出された前記排尿時における尿吸収量の経時的変化のデータについて、前記吸収性物品を交換した後、何回目の排尿時における尿吸収量の経時的変化のデータかを判定して、各々の排尿時における尿吸収量の経時的変化のデータを選び出し、
前記姿勢判定部は、着用者に取り付けられた３軸加速度センサから送られる出力値から、着用者の姿勢を判定し、
前記排尿選出部は、吸収性物品交換判定部を備えており、該吸収性物品交換判定部は、前記複数のセンサ素子から送られる出力値が、吸収性物品が尿を吸収する前の初期設定値に戻った際に、前記３軸加速度センサから送られる出力値を確認して、前記３軸加速度センサからの出力値に変化があった場合にオムツ交換がなされたと判定し、前記３軸加速度センサからに出力値に変化がない場合にオムツ交換がなされていないと判定する排尿動態解析装置。
【請求項２４】
前記吸収性物品交換判定部は、前記３軸加速度センサから送られるＺ軸方向の出力値を確認して、Ｚ軸方向の出力値に変化があった場合にオムツ交換がなされたと判定し、Ｚ軸方向の出力値に変化がない場合にオムツ交換がなされていないと判定する請求項２３記載の排尿動態解析装置。
【請求項２５】
前記排尿抽出部は、前記吸収量算定部で算定された各々の測定時の尿吸収量のデータから、ノイズを除去する請求項２３又は２４記載の排尿動態解析装置。
【請求項２６】
尿を吸収する吸収性物品に取り付けられた複数のセンサ素子によって測定された、インピーダンスの経時的な変化に基づく着用者の排尿データを処理して、排尿動態を解析する排尿動態解析方法であって、
少なくとも、吸収量算定ステップと、排尿抽出ステップと、排尿選出ステップと、姿勢判定ステップとを含み、
前記吸収量算定ステップでは、前記複数のセンサ素子によって経時的に連続して測定されたインピーダンスから、予め定められた尿量計算式を用いて、各々の測定時の尿吸収量を算定し、
前記排尿抽出ステップでは、前記吸収量算定ステップで算定された各々の測定時の尿吸収量のデータから、排尿時における前記吸収性物品による尿吸収量の経時的変化のデータを抽出し、
前記排尿選出ステップでは、前記排尿抽出ステップによって抽出された前記排尿時における尿吸収量の経時的変化のデータについて、前記吸収性物品を交換した後、何回目の排尿時における尿吸収量の経時的変化のデータかを判定して、各々の排尿時における尿吸収量の経時的変化のデータを選び出し、
前記姿勢判定ステップでは、着用者に取り付けられた３軸加速度センサから送られる出力値から、着用者の姿勢を判定するようになっており、
前記排尿選出ステップは、吸収性物品交換判定ステップを含んでおり、該吸収性物品交換判定ステップでは、前記複数のセンサ素子から送られる出力値が、吸収性物品が尿を吸収する前の初期設定値に戻った際に、前記３軸加速度センサから送られる出力値を確認して、前記３軸加速度センサからの出力値に変化があった場合にオムツ交換がなされたと判定し、前記３軸加速度センサからの出力値に変化がない場合にオムツ交換がなされていないと判定する排尿動態解析方法。
【請求項２７】
前記排尿抽出ステップでは、前記吸収量算定ステップで算定された各々の測定時の尿吸収量のデータから、ノイズを除去する請求項２１記載の排尿動態解析方法。
【発明の詳細な説明】
【技術分野】
【０００１】
本発明は、排尿動態解析装置に関し、特に、尿を吸収する吸収性物品に取り付けられた複数のセンサ素子によって測定された着用者の排尿データを処理して、排尿動態を解析する排尿動態解析装置および排尿動態解析方法に関する。
【背景技術】
【０００２】
近年、高齢化社会が進んでいる中で、病院や介護施設等においては、例えば寝たきりの被介護者を介護することが増えている。例えば寝たきりの被介護者を介護するには、排尿の管理を適切に行う必要がある。特に、被介護者が自身で排尿を行うことができず、おむつ等の吸収性物品の着用を余儀なくされている場合には、被介護者による排尿の有無や、おむつ等の交換時刻等をより適切に管理する必要がある。
【０００３】
病院や介護施設等において、おむつ等の吸収性物品を着用している被介護者の排尿を管理する方法として、一般的に、看護士等の介護者が、例えば１日に６〜８回程度の割合で予め定められた時刻に巡回し、被介護者による排尿の有無を確認して、必要に応じておむつ等の交換作業を適宜行うといった方法が採用されていたが、巡回した際にはまだ排尿をしていないこともあり、効率の良い管理方法ではなく、また被介護者の数が増えた場合に、介護者の負担が増大することになる。被介護者にとっても、例えば介護者による巡回の直後に排尿した場合に、次の巡回までおむつ等の交換がなされないと、不快で不衛生な状態におかれることなる。
【０００４】
このようなことから、被介護者等の着用者が着用するおむつ等の吸収性物品に、複数のセンサ素子を取り付けておき、これらのセンサ素子によって、着用者による排尿の有無を検出して、排尿があった場合にナースコール等を介して介護者に知らせることや、排尿時に吸収性物品によって吸収された尿の広がりから、尿の吸収量や排尿量を測定することを可能にした排尿検知装置や排泄検知装置が開発されている（例えば、特許文献１、２参照）。
【先行技術文献】
【特許文献】
【０００５】
【特許文献１】特開２０１３−３９１５８号公報
【特許文献２】特開２０１１−７８７９１号公報
【発明の概要】
【発明が解決しようとする課題】
【０００６】
特許文献１の排尿検知装置では、吸収性物品に、センサ素子となる複数の電極が配置された静電容量センサシートを取り付けておき、これらの複数のセンサ素子によって、吸収性物品に尿が吸収されたことによる電極間のインピーダンス変化を検知することで、排尿の有無を検出できるようになっている。また、複数のセンサ素子によって検知された、吸収性物品において吸収された尿の広がりから、予め定められた尿量計算式を用いて、尿の吸収量や排尿量を測定できるようになっている。
【０００７】
特許文献１の排尿検知装置では、吸収性物品に、センサ素子となる複数の電極が配置された静電容量センサシートを取り付けておき、これらの複数のセンサ素子によって、吸収性物品に尿が吸収されたことによる電極間のインピーダンス変化を測定することで、排尿の有無を検出できるようになっている。また、複数のセンサ素子によって測定された、吸収性物品において吸収された尿の広がりから、予め定められた尿量計算式を用いて、尿の吸収量や排尿量を測定できるようになっている。
【０００８】
また、特許文献１には、静電容量センサによるインピーダンスの出力変化量と、吸収性物品における尿の広がり面積との間に、高い相関性があることや、静電容量センサによるインピーダンスの出力変化量と、吸収性物品が吸収した尿の吸収量との間にも、高い相関性があることが記載されている。またセンサ素子により測定されるデータの出力間隔は、０．１秒〜３分であることが好ましく、３秒未満であることがより好ましいことや、尿の広がり方を排尿速度として捉えることができることや、排尿速度の測定値を用いて、１秒あたりの尿流量（尿流量率）を算定できることも記載されている。
【０００９】
さらに、特許文献２には、排泄検知装置は、吸収性物品に広範囲にわたって配置されたセンサ素子のインピーダンス変化の総量を検出する排泄センサと、被介護者の姿勢を検知する姿勢センサと、この姿勢センサからの姿勢センサ出力に基づき被介護者の姿勢を判定する姿勢判定部と、姿勢判定部で得られた被介護者の姿勢に基づき、排泄センサの出力と尿量との関係を示す複数の検量線から該当する姿勢の検量線を選択し、選択された姿勢の検量線に基づき尿量を算出する尿量算出部とを備えていることが記載されている。
【００１０】
しかしながら、特許文献１の排尿検知装置や引用文献２の排泄検知装置では、静電容量センサによるインピーダンスの出力変化量と吸収性物品における尿の広がり面積との間に高い相関性があり、吸収性物品における尿の広がり面積と尿の吸収量との間にも高い相関性があることや、１秒あたりの尿量（尿流率）を算定できることや、姿勢センサからの姿勢センサ出力に基づき被介護者の姿勢を判定して、精度良く尿量を算出できることが記載されているが、これらの装置による実証結果は、いわゆる実験室レベルにおいてなされたものとなっているため、これらの装置を病院や介護施設等において実際に使用する際には、これらの装置に特有の種々の課題が生じることが予想される。
【００１１】
例えば病院や介護施設等において、複数のセンサ素子が取り付けられた吸収性物品を被介護者等の着用者が着用した場合に、吸収性物品によって吸収されるものは、着用者の排尿に限らず、汗等の、その他の体液である場合もあることから、精度良く吸収量や排尿量を測定するには、このような排尿以外のものの影響をできるだけ除去する必要がある。
【００１２】
このため、本願出願人は、先に特願２０１４−２５８８５０号において、吸収性物品に取り付けられた複数のセンサ素子によって測定されたデータから、排尿以外のものによる影響を除去できるようにして、平均尿流率、最大尿流率、尿流率曲線等の排尿動態を、精度良く解析することのできる排尿動態解析装置及び排尿動態解析方法を開発し、開示しているが、これらの排尿動態をさらに精度良く解析できるようにするための、種々の改良技術の開発が要望されている。
【００１３】
例えば、特願２０１４−２５８８５０号では、排尿の計算を、インピーダンスと尿量との関係を予め求めて行っているが、着用者の姿勢を判定する姿勢判定部を設けて、姿勢判定部によって判定された着用者の姿勢に対応する尿量計算式を選択し、吸収量算定部において、複数のセンサ素子による各々のインピーダンスの測定時の尿吸収量を算定できるようにしても、なお、尿量の計算値が安定せず、極端に増加したり、吸収体から尿が漏れていないにも関わらず計算値が減少するということが起きており、計算精度をより向上させることが求められている。
【００１４】
また、排尿1回毎における尿吸収量（排尿量）を推定することによる、各種の疾病の診断への有用性を、発明者らは検証しようとしているが、そのためには、１回の排尿が複数回の排尿として判定されないようにして、各々の１回毎の排尿時における尿吸収量を精度良く推定できるようにする必要がある。
【００１５】
さらに、センサ素子が配置された吸収性物品の吸収部は、吸収性物品のアウター部材の内側に装着されて用いられるのが一般的であるが、アウター部材の種類によって計算精度が異なることが、発明者らの実験により判明した。これは、アウター部材の種類によって吸収性物品の押付け力が異なるため、センサ素子によるセンサ感度も異なることによるものと推察される。そこで、このようなアウター部材による影響を考慮して、各々の排尿時における尿吸収量を精度良く推定できるようにする必要がある。
【００１６】
さらにまた、複数のセンサ素子によって測定されるインピーダンスの出力は、例えばこれらのセンサ素子と接続して吸収性物品に着脱可能に取り付けられた、インピーダンス検出回路等を備えるデータ収集手段を介して、排尿動態解析装置を構成する例えば情報処理手段に送られることになるが、着用者が故意に或いは誤って、データ収集手段を吸収性物品から外すことがある。これにより、データ収集手段のセンサ素子との接続が切断されると、排尿動態解析装置は、おむつ交換がなされたと誤って認識するおそれがあるため、このようなおむつ交換の誤認識を回避する必要がある。
【００１７】
本発明は、これらの問題を解消し或いは低減させ、精度の良い有用なデータを得ることのできる排尿動態解析装置及び排尿動態解析方法に関する。
【課題を解決するための手段】
【００１８】
本発明は、尿を吸収する吸収性物品に取り付けられた複数のセンサ素子が、インピーダンスの変化を測定し、測定したインピーダンスの変化を経時的に処理して、排尿動態を解析するための排尿解析部を含む排尿動態解析装置であって、前記排尿解析部は、吸収量算定部と姿勢判定部とを含んで構成されており、前記吸収量算定部は、前記複数のセンサ素子によって経時的に連続して測定されたインピーダンスから、各々の測定時の尿吸収量を算定し、前記姿勢判定部は、各々の測定時の着用者の姿勢を判定し、前記吸収量算定部は、各々の測定時のインピーダンスが、直前の測定時のインピーダンスから所定量以上変化していない場合には、該直前の測定時に用いた尿量計算式を選択し、所定量以上変化した場合には、前記姿勢判定部によって判定された姿勢に対応する尿量計算式を選択して、各々の測定時のインピーダンスから、尿吸収量を算定するようになっている。
【発明の効果】
【００１９】
本発明の排尿動態解析装置又は排尿動態解析方法によれば、精度の良い有用なデータを得ることができる。
【図面の簡単な説明】
【００２０】
【図１】本発明の好ましい一実施形態に係る排尿動態解析装置が組み込まれた排尿管理システムの構成を説明する図である。
【図２】本発明の好ましい一実施形態に係る排尿動態解析装置の構成を説明する図である。
【図３】（ａ）は吸収性物品であるおむつの構成を説明する図、（ｂ）は尿取りパッドの構成を説明する図、（ｃ）は静電容量センサシートの構成を説明する図である。
【図４】データ収集手段の構成を説明する図である。
【図５】（ａ）〜（ｃ）は、着用者の姿勢によって加速度センサの各軸の方向の傾きが異なることを説明する説明図である。
【図６】姿勢判定フローを説明するチャートである。
【図７】着用者の各姿勢に対応する尿量計算式を予め求める方法の説明図である。
【図８】センサ素子及び加速度センサからの出力によって各々の測定時の尿吸収量を算出する際のフローを説明するチャートである。
【図９】（ａ）、（ｂ）は、図８のフローを採用した場合の効果を、採用しない場合と比較して説明する、尿吸収量の経時的変化のチャートである。
【図１０】吸収量算定部及び排尿抽出部を説明するフローチャートである。
【図１１】（ａ）、（ｂ）は、微分波形判定部を説明するチャートである。
【図１２】排尿選出部を説明するフローチャートである。
【図１３】（ａ）〜（ｃ）は、１回の排尿が、排尿量判定時間の相違によって、１回又は２回の排尿と判定される状況の説明図である。
【図１４】（ａ）は、吸収性物品交換判定ステップにおいて、オムツ交換がなされていないと判定される場合のチャート、（ｂ）は、オムツ交換がなされたと判定される場合のチャートである。
【図１５】お知らせ判定部を説明するフローチャートである。
【図１６】排尿動態解析部を説明するフローチャートである。
【図１７】（ａ）、（ｂ）は、排尿動態解析部によって解析された尿流量率の解析結果を例示するチャートである。
【発明を実施するための形態】
【００２１】
本発明の好ましい一実施形態に係る排尿動態解析装置１０（図１、図２参照）は、例えば病院や介護施設等において、寝たきりの被介護者の排尿を一括して管理して、看護士等の介護者の負担を軽減するための排尿管理支援システム５０に組み込まれて用いられる。本実施形態の排尿動態解析装置１０は、排尿管理支援システム５０を構成する、例えばコンピュータからなる情報処理手段２０において形成されており、おむつ等の吸収性物品３０から、データ収集手段４０を介して送られる、センサ素子３１（図３参照）によって測定された排尿に関するデータを処理して、被介護者（着用者）の排尿動態として、例えば排尿時における平均尿流率、最大尿流率、尿流率曲線等を、精度良く解析できるようにする機能を備えている。
【００２２】
本実施形態の排尿動態解析装置１０は、図１及び図２に示すように、例えばコンピュータからなる情報処理手段２０において形成され、尿を吸収する吸収性物品３０に取り付けられた複数のセンサ素子３１（図３参照）が、インピーダンスの変化を測定し、測定したインピーダンスの変化を経時的に処理して、排尿動態を解析するための排尿解析部１１を含んでいる。排尿解析部１１は、図２に示すように、吸収量算定部１２と、排尿抽出部１３と、排尿選出部１４と、排尿動態解析部１５とを含んで構成されている。吸収量算定部１２は、複数のセンサ素子３１によって経時的に連続して測定されたインピーダンスから、予め定められた尿量計算式を用いて、各々の測定時の尿吸収量を算定する。排尿抽出部１３は、吸収量算定部１２で算定された各々の測定時の尿吸収量のデータから、ノイズを除去して、各排尿時における吸収性物品３０による尿吸収量の経時的変化のデータを抽出する。排尿選出部１４は、排尿抽出部１３によって抽出された各排尿時における尿吸収量の経時的変化のデータについて、吸収性物品３０を交換した後、何回目の排尿時における尿吸収量の経時的変化のデータかを判定して、各々の排尿時における尿吸収量の経時的変化のデータを選び出す。排尿動態解析部１５は、排尿選出部１４によって選び出された、各々の排尿時における尿吸収量の経時的変化のデータから、各々の排尿時における排尿動態を解析する。
【００２３】
また、本実施形態では、排尿解析部１１は、姿勢判定部１６を含んでおり、姿勢判定部１６は、各々の測定時における着用者の姿勢を判定する。吸収量算定部１２は、予め定められた複数の計算式から、姿勢判定手段１６によって判定された着用者の姿勢に対応する尿量計算式を選択して、複数のセンサ素子３１によって経時的に連続して測定された各々の測定時のインピーダンスから、尿吸収量を算定するようになっている。
【００２４】
さらに、本実施形態では、排尿解析部１１は、お知らせ判定部１７を備えている。お知らせ判定部１７は、例えば吸収量算定部１２による尿吸収量の算定結果を監視して、吸収性物品３０に吸収された尿吸収量が所定の設定値を超えたことを判定し、尿吸収量が所定の設定値を超えた際に、排尿後の残尿量を測定するタイミングであることを通知する。
【００２５】
本実施形態では、排尿動態解析装置１０が組み込まれた排尿管理支援システム５０は、図１に示すように、インピーダンスの変化に基づいて尿の広がりを測定する複数のセンサ素子３１が取り付けられた吸収性物品３０（図３（ａ）〜（ｃ）参照）と、センサ素子３１に電流を供給する電源を収容し、センサ素子３１によって測定されたインピーダンスの変化をデータとして収集するデータ収集手段４０と、排尿動態解析装置１０を構成する情報処理手段２０と、情報処理手段２０からの通知を看護士等の介護者に通知する通知手段２５とを具備している。尚、情報処理手段２０はスイッチ２７と一体でも良く、直接通知を行っても良い。
【００２６】
排尿管理支援システム５０を構成する吸収性物品３０は、図１及び図３（ａ）〜（ｃ）に示すように、例えば特開２０１３−３９１５８号公報に記載の尿取りパッドと同様の構成を備える尿取りパッド３３が、当該吸収性物品３０の吸収部として、アウター部材であるテープおむつの内側に装着された、使い捨て用のおむつとなっている。尿取りパッド３３には、例えば着用者の肌に触れる側とは反対側の外側表面に、縦長のフィルム基材の一方の面に複数の電極によるセンサ素子３１を配設して形成される静電容量センサシート３２が、取り付けられている。複数のセンサ素子３１は、静電容量センサシート３２の縦長方向に２列に配置されて設けられている。尿取りパッド３３が、吸収性物品３０であるおむつに吸収部として装着されることで、吸収性物品３０には、インピーダンスの変化に基づいて尿の広がりを測定することが可能な、複数のセンサ素子３１が取り付けられることになる。センサ素子３１を構成する複数の電極は、それぞれが導線により結線されており、コネクター部３４を介して、吸収性物品３０に取り付けられるデータ収集手段４０と接続される（図１参照）。吸収性物品３０の尿取りパッド３３は、正常な成人の１回の排尿量が約１５０ｇであるのに対して、これの数倍程度の排尿量として、例えば３５０ｇ以上の排尿量を吸収することが可能なように、該尿取りパッド３３に含まれるポリマーの量が調整されている。
【００２７】
データ収集手段４０は、センサ素子３１に電圧を印加する電源を有し、各々の測定時にセンサ素子３１によって測定されたインピーダンスを排尿データとして収集する機能を備える。具体的には、本実施形態におけるデータ収集手段４０は、図４に示すように、電源である電池（図示せず）やタイマー４５を収容するハウジング４１を有している。ハウジング４１は、例えば吸収性物品３０に設けられた金属製のスナップ６０（図１参照）を介して、吸収性物品３０の腹側領域に着脱可能に固定される。データ収集手段４０は、スナップ６０から取り外して再利用可能となっている。データ収集手段４０は、インピーダンス検出回路４２や、加速度センサ４３や、データロガー４４等を備えている。
【００２８】
インピーダンス検出回路４２は、吸収性物品３０の尿取りパッド３３に取り付けられた静電容量センサシート３２の複数のセンサ素子３１による回路全体に、ハウジング３１内の電池および回路によって生成される、例えば４００ｋＨｚ〜７００ｋＨｚ程度の矩形波の電圧を印加して、複数のセンサ素子３１の間のインピーダンスを測定する。またインピーダンス検出回路４２は、静電容量センサシート３２によって測定されたインピーダンスを、タイマー４５から出力される時刻データと共に、データロガー４４に保存する。ここで、センサ素子３１によって測定されるインピーダンスの各々の測定時の時間間隔、すなわち排尿データの測定間隔は、例えば０．１秒〜３分の間で適宜調整することができる。排尿データの測定間隔は、０．１秒〜３分であることが好ましく、０．１〜６０秒であることが更に好ましく、０．２〜２０秒であることが特に好ましい。
【００２９】
加速度センサ４３は、好ましくは３軸加速度センサからなり、吸収性物品３０を着用している着用者の姿勢の変位によるＸＹＺ軸の３方向の出力値（加速度）をそれぞれ測定（収集）して、タイマー４５から出力される時刻データと共に、測定結果をデータロガー４４に保存する。
【００３０】
データロガー４４は、インピーダンス検出回路４２及び加速度センサ４３から取得したデータを保存する。データロガー４４は、情報処理手段２０からの要求に応じて、または、情報処理手段２０に接続されたことを検知すると、保存しているデータを情報処理手段２０に転送する。
【００３１】
排尿管理支援システム５０を構成する情報処理手段２０は、例えばコンピュータとして公知のものであって、ＣＰＵ（Central Processing Unit）、ＲＯＭ（Read Only Memory）、ＲＡＭ（Random Access Memory）、ＨＤＤ（Hard Disk Drive）、表示手段２１、入力手段２２、出力手段２３等を備えている。情報処理手段２０は、所定のプログラムが組み込まれていることで、図２に示すように、排尿動態を解析するための排尿解析部１１を含む、後述する排尿動態解析装置１０を構成している。排尿動態解析装置１０は、後述する吸収量算定部１２、排尿抽出部１３、排尿選出部１４、排尿動態解析部１５等を備える排尿解析部１１の他に、データ収集手段４０から排尿データを取得するデータ取得部１９を備えている。また、排尿動態解析装置１０は、データ取得部１９を介して取得した、データ収集手段４０から送られる排尿データや、吸収量算定部１２、排尿抽出部１３、排尿選出部１４、排尿動態解析部１５等において算定されたり解析された、各種のデータを蓄積するデータベース部２４を備えている。データベース部２４は、例えば入力手段２２を介して取り込まれた、着用者の飲水量、排便、入浴等を記載した排尿日誌に関するデータ等も、蓄積することができるようになっている。
【００３２】
表示手段２１は、ＬＣＤ（Liquid Crystal Display）、ＥＬディスプレイ（Electroluminescence display）等によって構成されている。入力手段２２は、例えばタッチパネルやキーボード等によって構成されている。出力手段２３は、例えば有線であるケーブル又は無線のＬＡＮシステムを介して、通知手段２５と接続している。
【００３３】
通知手段２５は、病院や介護施設等がインフラとして有するネットワークを用いて、情報処理手段２０からの情報を、末端機器２６へ通知するものであり、例えば病院内の院内ナースコールシステムを用いて構成することができる。通知手段２５は、吸収性物品３０を着用した着用者（被介護者）の病室毎に設置されるスイッチ２７や、各々のスイッチ２７と接続された中継器２８を備えている。中継器２８は、複数のスイッチ２７の情報を集約する。また、通知手段２５は、中継器２８に接続された院内交換器２９や、院内交換器２９に接続された、看護士等の介護者が携帯する末端機器２６を備えている。これらによって、例えば後述する排尿動態解析装置１０の排尿解析部１１のお知らせ判定部１７において、例えば吸収性物品３０によって吸収された尿吸収量が所定の設定値を超えたと判定された際に、通知手段２５を介して、判定結果を看護士等の介護者に速やかに通知することで、排尿後の残尿量を測定するタイミングや、吸収性物品３０であるおむつを交換するタイミングを、効率良く知らせることができるようになっている。
【００３４】
そして、本実施形態の排尿動態解析装置１０は、図２に示すように、吸収量算定部１２、排尿抽出部１３、排尿選出部１４、排尿動態解析部１５等を含む排尿解析部１１を有しており、また吸収性物品３０に取り付けられたデータ収集手段４０から排尿データを取得するデータ取得部１９や、各種のデータを蓄積するデータベース部２４を備えている。
【００３５】
吸収量算定部１２では、本実施形態の排尿動態解析方法の吸収量算定ステップが行われる。本実施形態の排尿動態解析方法は、吸収性物品３０に取り付けられた複数のセンサ素子３１によって経時的に連続して測定された、吸収性物品３０に尿が吸収された際の各々の測定時のインピーダンスから、インピーダンスの変化を経時的に処理して、排尿動態を解析する。排尿抽出部１３では、本実施形態の排尿動態解析方法の排尿抽出ステップが行なわれる。排尿選出部１４では、本実施形態の排尿動態解析方法の排尿選出ステップが行なわれる。排尿動態解析部１５では、本実施形態の排尿動態解析方法の排尿動態解析ステップが行なわれる。
【００３６】
本実施形態では、データ取得部１９は、吸収性物品３０に取り付けられたデータ収集手段４０と、有線であるケーブル又は無線のＬＡＮシステムを介して接続されている。データ取得部１９は、データ収集手段４０のデータロガー４４に保存されている排尿データを取得して、データベース部２４に蓄積すると共に、取得した排尿データを、排尿動態解析装置１０の排尿解析部１１において、尿吸収量を算定したり、排尿時における排尿動態を解析したりするためのデータとして提供する機能を備えている。
【００３７】
吸収量算定部１２では、吸収量算定ステップとして、吸収性物品３０に取り付けられた静電容量センサシート３２の複数のセンサ素子３１により経時的に連続して測定されて、データ取得部１９によって取得された、吸収性物品３０が吸収した尿の広がりに関する排尿データ（インピーダンスないしその変化量のデ−タ）から、好ましくは予め定められた尿量計算式を用いて、各々の測定時の尿吸収量を算定する（図１０参照）。すなわち、吸収量算定部１２は、実験室等において予め検証されてデータベース部２４に蓄積されている、規格の異なるパット種の、種々の吸収性物品３０に関する尿の広がり面積に対応した、吸収した尿の量である尿吸収量をインピーダンスで表す複数の相関式から、着用者が着用している吸収性物品３０のパッド種に応じた相関式を選び出す。ここで、相関式は、全インピーダンスの範囲にわたって同一の計算式を用いても、インピーダンスの範囲に応じて異なる計算式を用いてもよいが、計算結果である尿吸収量の精度を上げるには、インピーダンスの範囲に応じて異なる計算式を用いるのが好ましい。また、各計算式は多項式であることが好ましく、その次数は１次から４次であることが好ましい。吸収量算定部は、複数のセンサ素子３１によって経時的に連続して測定されたインピーダンスから、予め定められた所定の測定時間間隔毎に、各々の測定時の尿吸収量を各々算定する。吸収量算定部は、吸収量算定ステップのデータ平滑ステップを行うデータ平滑部を備えている。尿吸収量の算定時には、継時的に変化するインピーダンスを、データ平滑部におけるデータ平滑ステップによって、例えば、ピークホールド、ローパスフィルター、移動平均等で予め平滑化した後に、各々の測定時の尿吸収量を算定してもよい。
【００３８】
また、本実施形態では、排尿解析部１１は、データ取得部１９によって取得された、排尿データと共にデータ収集手段４０から転送される、加速度センサ４３によって測定された姿勢に関するデータから、着用者の姿勢を判定する姿勢判定部１６を備えている。姿勢判定部１６では、上述の排尿動態解析方法の姿勢判定ステップが行なわれる。姿勢判定部１６は、姿勢判定ステップとして、加速度センサ４３による着用者の姿勢に関するデータから、着用者が、例えばうつ伏せ、仰向け正面、仰向け横向き、座る正面、座る横向き、膝曲げ正面、及び膝曲げ横向きを含む各姿勢のうちの、いずれの状態にあるかを判定することができる。吸収量算定部１２は、吸収量算定ステップにおいて、データベース部２４に蓄積されている、各々の姿勢について予め検証された複数の計算式から、姿勢判定手段１６によって判定された着用者の姿勢に対応する尿量計算式を選択して、複数のセンサ素子３１による各々の測定時の尿吸収量を算定する（図１０参照）。これによって、測定時の尿吸収量を、さらに精度良く算定することが可能になる。
【００３９】
ここで、着用者の姿勢に関するデータを測定する加速度センサ４３として、好ましくは公知の３軸加速度センサを用いることができる。すなわち、着用者に取り付けられた３軸加速度センサから送れられるＸＹＺ軸の３方向の出力値から、着用者の姿勢を判定する。このような３軸加速度センサとして、例えば商品名「ADXL362」（ANALOG DEVICES社製）、マイクロパワー、３軸、デジタル出力MEMS加速度センサを用いることができる。加速度センサ４３として３軸加速度センサを用いることで、着用者の姿勢の傾きによりＸＹＺ軸の３方向の出力値が変化することを利用して、着用者の姿勢を容易に且つ精度良く判定することが可能になる。
【００４０】
例えば、図５（ａ）〜（ｃ）に示すように、着用者の腰幅方向にＸ軸が、身長方向にＹ軸が、前後方向にＺ軸が沿うように加速度センサ４３を配置して、加速度センサ４３を内部に備えるデータ収取手段４０を吸収性物品３０に取り付けた場合に、例えば座った姿勢（図５（ａ）参照）、仰向けの姿勢（図５（ｂ）参照）、及び仰向けで横を向いた姿勢（図５（ｃ）参照）では、これらの軸方向の傾きが異なり、加速度センサ４３による各軸の出力値が変化する。これによって、例えば試験室において、加速度センサ４３が取り付けられた吸収性物品３０を着用した被験者の、目視による姿勢と、その時の加速度センサ４３による３軸の出力値との関係を検証して、例えば表１に示す姿勢判定テーブルを作成しておくことにより、例えば後述する姿勢判定フローに従って、着用者の姿勢を容易に判定することができる。
【００４１】
【表１】
0006716336.tif 000002
【００４２】
すなわち、姿勢判定フローでは、例えば図６に示すように、Ｚ軸の出力値を表１の姿勢判定テーブルと対比し、２１８以上である場合には、うつ伏せの姿勢と判断して、この姿勢に対応する尿量計算式（式１）を採用する。Ｚ軸の出力値が２１７以下である場合に、Ｙ軸の出力値を表１の姿勢判定テーブルと対比し、１６０以下である場合には、座る姿勢と判断して、さらにＸ軸の出力値を表１の姿勢判定テーブルと対比する。この結果、Ｘ軸の出力値が１５０以下である場合には、座る横向きで且つ右向きの姿勢と判断して、この姿勢に対応する尿量計算式（式５）を採用し、Ｘ軸の出力値が１８０以上である場合には、座る横向きで且つ左向きの姿勢と判断して、この姿勢に対応する尿量計算式（式５）を採用する。Ｘ軸の出力値が１５０以下でも、１８０以上でもない場合には、座る正面の姿勢と判断して、この姿勢に対応する尿量計算式（式４）を採用する。
【００４３】
また、Ｚ軸の出力値が２１７以下である場合に、Ｙ軸の出力値を表１の姿勢判定テーブルと対比し、１８１以上である場合には、膝曲げ姿勢と判断して、さらにＸ軸の出力値を表１の姿勢判定テーブルと対比する。この結果、Ｘ軸の出力値が１５０以下である場合には、膝曲げ横向きで且つ右向きの姿勢と判断して、この姿勢に対応する尿量計算式（式６）を採用し、Ｘ軸の出力値が１８０以上である場合には、膝曲げ横向きで且つ左向きの姿勢と判断して、この姿勢に対応する尿量計算式（式６）を採用する。Ｘ軸の出力値が１５０以下でも、１８０以上でもない場合には、膝曲げ正面の姿勢と判断して、この姿勢に対応する尿量計算式（式７）を採用する。
【００４４】
さらに、Ｚ軸の出力値が２１７以下である場合に、Ｙ軸の出力値を表１の姿勢判定テーブルと対比し、１６０以下でも、１８１以上でもない場合には、仰向け姿勢と判断して、さらにＸ軸の出力値を表１の姿勢判定テーブルと対比する。この結果、Ｘ軸の出力値が１５０以下である場合には、仰向け横向きで且つ右向きの姿勢と判断して、この姿勢に対応する尿量計算式（式３）を採用し、Ｘ軸の出力値が１８０以上である場合には、仰向け横向きで且つ左向きの姿勢と判断して、この姿勢に対応する尿量計算式（式３）を採用する。Ｘ軸の出力値が１５０以下でも、１８０以上でもない場合には、仰向け正面の姿勢と判断して、この姿勢に対応する尿量計算式（式２）を採用する。
【００４５】
さらにまた、本実施形態では、上述のうつ伏せ、仰向け正面、仰向け横向き、座る正面、座る横向き、膝曲げ正面、及び膝曲げ横向きを含む各姿勢に対応する尿量計算式（式１〜式７）は、以下のようにして、予め求められておくことができる。すなわち、本実施形態では、例えば図７に示すように、複数のセンサ素子３１及び加速度センサ４３が取り付けられた吸収性物品３０を、着用者を模した人形に着用させ、各々の姿勢をとらせた状態で、尿を模した液体として、好ましくは生理食塩水を、着用した吸収性物品３０中に物品内チューブを介して注入する。これと同時に、複数のセンサ素子３１によって、その時のインピーダンスを経時的に連続して測定して、センサ出力として出力する。例えば注入した液体、例えば生理食塩水の注入量を縦軸に、センサ出力の初期値からの変化量を横軸にとって測定結果をプロットし、生理食塩水の注入量と、センサ素子３１によって測定された生理食塩水の広がりに応じたセンサ出力の変化量との相関関係から、近似式による検量線を得る。これによって、各姿勢に対応する尿量計算式を、予め求めることができる。吸収量算定部１２は、姿勢判定部１６によって判定された着用者の姿勢に対応する尿量計算式を、これらの予め求められた計算式から選択して、複数のセンサ素子３１によって経時的に連続して測定された各々の測定時のインピーダンスから、尿吸収量を算定するようになっている。
【００４６】
そして、本実施形態では、吸収量算定部１２は、各々の測定時に測定されたインピーダンスが、直前の測定時に測定されたインピーダンスから変化していない場合に、直前の測定時に姿勢判定部１６によって判定された着用者の姿勢に対応する尿量計算式を選択して、各々の測定時に測定されたインピーダンスから、尿吸収量を算定するようになっている。
【００４７】
すなわち、本実施形態では、吸収量算定部１２は、各々の測定時に測定されたインピーダンスから尿吸収量を算出する際に、今回のセンサ素子３１によるセンサ出力の、直前の測定時におけるセンサ出力に対する変化量を確認する。図８に示すように、センサ出力に変化量があった場合には、排尿されているとして、今回の測定時に姿勢判定部１６によって判定された着用者の姿勢に対応する尿量検量線から得られる尿量計算式を選択して、尿吸収量を算定する。センサ出力に変化量がなかった場合には、排尿されておらず姿勢のみが変化したとして、直前（前回）の測定時に姿勢判定部１６によって判定された着用者の姿勢に対応する尿量検量線から得られる尿量計算式を選択して、尿吸収量を算定する。
【００４８】
これによって、本実施形態によれば、排尿解析部１１に、着用者の姿勢を判定する姿勢判定部１６を設け、姿勢判定部１６によって判定された着用者の姿勢に対応する尿量計算式を選択して、複数のセンサ素子３１による各々のインピーダンスの測定時の尿吸収量を算定できるようにする場合に、実際には排尿が無くても、着用者の姿勢の変化によって選択される尿量計算式が入れ替わることで、算定される尿吸収量に変化が生じるのを効果的に回避して、精度の良い測定時のデータを得ることが可能になる。
【００４９】
特に、例えば着用者の姿勢が、姿勢判定部により異なる姿勢と判定される閾値近辺の姿勢となっていて、着用者の姿勢の僅かな変化によって、選択される尿量計算式が頻繁に入れ替わることで、実際には排尿が無い場合でも、計算式の相違によりインピーダンスの出力値から算定される尿吸収量に、例えば図９（ａ）に示すような変動が生じることになるのを、効果的に回避して、例えば図９（ｂ）に示すような、排尿が無い場合には変動の無い、より精度の良い測定時のデータを得ることが可能になる。
【００５０】
なお、図８のチャートにおいて「変化量あり」とする、すなわち本実施形態でセンサ出力に変化量があったと判定するのは、センサ出力、すなわちインピーダンス値に例えば３％以上の所定の変化があった場合であり、所定の変化以下の変化量の場合は、ノイズとみなして無視するように構成されている。
【００５１】
排尿抽出部１３では、排尿抽出ステップとして、吸収量算定部１２で算定された、複数のセンサ素子３１による各々の測定時の尿吸収量のデータから、ノイズを除去して、排尿時における吸収性物品３０による尿吸収量の経時的変化のデータを抽出する。すなわち、排尿抽出部１３では、図１０に示すように、予め定められた所定の測定間隔毎に、経時的に連続して各々測定された尿吸収量のデータについて、例えば算定された尿吸収量の計算値が０以下となる場合に、このデータは排尿時のデータではないノイズと判断してカットする。また、今回の測定時の尿吸収量の計算値と、直前（前回）の測定時の尿吸収量の計算値との差が、所定の値として、例えば５ｇ以下である場合に、今回のデータは排尿時のデータではないノイズと判断してカットする。さらに、次の測定時の尿吸収量の計算値が、今回の測定時の尿吸収量の計算値よりも減っている場合に、今回のデータは排尿時のデータではないノイズと判断してカットする。
【００５２】
本実施形態では、排尿解析部１１は、微分波形判定部１８（図２参照）を備えている。微分波形判定部１８では、上述の排尿動態解析方法の微分波形判定ステップが行なわれる。微分波形判定部１８は、排尿抽出ステップにおける微分波形判定ステップとして、吸収量算定部１２で算定された複数のセンサ素子３１による各々の測定時の尿吸収量の経時的変化のデータから、微分波形を求めて、排尿抽出部１３において、得られた微分波形に基づいて、ノイズを判定して除去する。すなわち、微分波形判定部１８は、吸収量算定部１２で算定された、所定の測定間隔で各々測定された排尿データに基づく尿吸収量の経時的変化のデータに対して、微分演算を施す。これによって、例えば図１１（ａ）、（ｂ）に示すような、好ましくは微分値を移動平均した値による、微分波形のグラフを得ることができる。
【００５３】
微分波形判定部１８は、得られた微分波形のグラフから、例えば微分値が連続してプラスとマイナスに大きなピークを有しているか否かを判定する。微分波形判定部１８は、例えば図１１（ａ）に示すように、微分値がプラスのみに大きなピークを有している場合には、排尿時における、吸収性物品３０による尿吸収量の経時的変化のデータであると判定することができる。例えば図１１（ｂ）に示すように、微分値が連続してプラスとマイナスにピークを有している場合には、吸収時のデータではないノイズと判断して、カットすることができる。排尿時における尿吸収量の経時的変化のデータであるか否かの判定は、例えば図１１（ａ）で得られた微分波形のグラフでは、横軸の測定点数の３０から６０の間におけるピーク値の和をとって、ピーク値の和がプラスの値となっており、且つ閾値として例えば１０を超えていたら、排尿時における尿吸収量の経時的変化のデータであると判定することもできる。
【００５４】
これらによって、排尿抽出部１３では、排尿抽出ステップにより、汗等の排尿以外のものの影響や、吸収性物品３０の尿取りパッド３３に含まれる吸収性ポリマーによる影響や、その他の要因による影響をノイズとして適正に除去した、精度の良い排尿時における尿吸収量の経時的変化のデータを抽出することが可能になる。
【００５５】
排尿選出部１４では、排尿選出ステップとして、排尿抽出部１３によって抽出された、排尿時における尿吸収量の経時的変化のデータについて、吸収性物品３０を交換した後、何回目の排尿時における尿吸収量の経時的変化のデータであるかを判定して、各々の排尿時における尿吸収量の経時的変化のデータを選び出す。また、本実施形態では、排尿選出部１４は、推定吸収量算定部１４ａを備えている（図２参照）。推定吸収量算定部１４ａでは、推定吸収量算定ステップとして、図１２に示すように、排尿抽出部１３で排尿抽出ステップにより抽出された各々の排尿時における尿吸収量の経時的変化のデータに基づいて、各々の排尿時の推定吸収量を算定するようになっている。推定吸収量は、例えば尿取りパッド３３に含まれる吸収性ポリマーが尿を吸収して安定するまで（広がりが終わるまで）の時間以降の尿吸収量を選択して計算することが好ましい。
【００５６】
このため、本実施形態では、推定吸収量算定部１４ａは、排尿時排尿量算定時設定部１４ｂを備えており（図２参照）、排尿時排尿量算定時設定部１４ｂでは、排尿時排尿量算定時設定ステップとして、排尿抽出部１３で排尿抽出ステップにより抽出された各々の排尿時における尿吸収量の経時的変化のデータに基づいて、各々の排尿時の推定吸収量を算定する際に、排尿の開始から何秒又は何分後の測定時におけるデータから推定排尿量を算定するかを設定できるようになっている。
【００５７】
すなわち、本実施形態では、各々の排尿時における尿吸収量（排尿量）を推定する際に、１回の排尿が複数回の排尿として判定されないようにして、各々の１回毎の排尿時における尿吸収量を精度良く推定できるようにする必要があることから、例えば吸収性物品３０における尿の吸収のし易さ、及び複数のセンサ素子３１によるセンサ感度に応じて、１回の排尿時における尿吸収量を精度良く推定できるように、各々の排尿時において、排尿の開始から何秒又は何分後の測定時におけるデータから推定排尿量を算定するかを設定できるようになっている。
【００５８】
例えば、図１３（ａ）に示すように、尿取りパッド３３に含まれる吸収性ポリマーが尿を吸収し始めてから安定するまで（広がりが終わるまで）の時間が、排尿の開始から１０分以上かかる場合に、排尿の開始から推定排尿量を算定すべき測定時までの時間（排尿量判定時間）が、例えば５分後に設定されていると、図１３（ｂ）に示すように、１回の排尿が２回以上の排尿として判定されて、推定排尿量を精度良く算出して推定することができなくなる。このようなことを考慮して、排尿の開始から何秒又は何分後の測定時におけるデータから推定排尿量を算定するかを、例えば吸収性物品における尿の吸収のし易さや、複数のセンサ素子３１によるセンサ感度に応じて設定できるようにする。例えば排尿量判定時間を、５分後からこれの２倍の１０分後に設定することにより、図１３（ｃ）に示すように、１回の排尿時の推定排尿量を、精度良く算定することが可能になる。
【００５９】
これによって、各々の排尿時における尿吸収量（排尿量）を推定する際に、１回の排尿が複数回の排尿として判定されないようにして、各々の１回毎の排尿時における尿吸収量を、精度良く推定することが可能になる。
【００６０】
ここで、排尿の開始から推定排尿量を算定すべき測定時までの時間（排尿量判定時間）は、例えば吸収性物品３０における尿の吸収のし易さ及び複数のセンサ素子３１によるセンサ感度に応じて、表２に示すような時間設定テーブルを予め作成しておき、作成した時間設定テーブルから対応するものを選択して、適宜設定することができる。例えば吸収性物品３０による吸収が良く、センサ素子３１によるセンサ感度が良い場合は、排尿量判定時間を１分と設定することができ、吸収性物品３０による吸収が良く、センサ素子３１によるセンサ感度が普通の場合は、排尿量判定時間を３分と設定することができる。吸収性物品３０による吸収が良く、センサ素子３１によるセンサ感度が劣る場合は、排尿量判定時間を１５分と設定することができ、吸収性物品３０による吸収がゆっくり広がり、センサ素子３１によるセンサ感度が普通の場合は、排尿量判定時間を１５分と設定することができる。
【００６１】
【表２】
0006716336.tif 000003
【００６２】
時間設定テーブルを作成するには、例えば異なる尿取りパッド３３及び異なるセンサ素子３１を取り付けた、異なる種類の吸収性物品３０を、例えば図７に示す方法と同様に、着用者を模した人形に各々着用させて、仰向け正面の姿勢をとらせた状態で、尿を模した液体として、好ましくは生理食塩水を、着用した吸収性物品３０中に物品内チューブを介して注入する。これと同時に、複数のセンサ素子３１によって、その時のインピーダンスを経時的に連続して測定し、センサ出力として出力する。センサ出力の経過時間による変化を観察して、注入した生理食塩水が飽和する時間から、排尿量判定時間を算出して、時間設定テーブルを作成する。すなわち、１回の生理食塩水の注入量でセンサ素子３１によるセンサ出力が飽和する時間を予め把握して、吸収性物品３０による尿の吸収のし易さと、複数のセンサ素子３１によるセンサ感度との組みあわせから、排尿量判定時間を算出して、時間設定テーブルを作成することができる。
【００６３】
また、各々の排尿時の推定吸収量を、排尿の開始から何秒又は何分後の測定時におけるデータから算定するか（排尿の開始から推定排尿量を算定すべき測定時までの排尿量判定時間）は、短すぎると１回の推定排尿量を複数回と検出することなり、長すぎると各々の排尿時の推定排尿量を算定するのに時間がかかり過ぎることになるため、排尿の開始から３０秒〜１５分後の測定時であることが好ましく、排尿の開始から３０秒〜３分後の測定時であることがさらに好ましい。排尿量判定時間を排尿の開始から３０秒〜３分後とすることにより、排尿直後に排尿のお知らせを行うことが出来、残尿量の測定精度を高めることが可能になる。
【００６４】
さらに、各々の排尿時の推定排尿量は、推定排尿量を算定すべき測定時から例えば１０点での平均値とすると、尿吸収量をより精度良く推定することが可能になる。ここで、推定吸収量の計算値は、着用者の姿勢に対応する尿量計算式で計算した値とすることができる。また、排尿の開始から３０秒〜１５分後とは、排尿抽出部１３で排尿を検出した時からの時間であり、推定吸収量は、計算の便宜から、例えば平均値を１の桁で四捨五入することが好ましい。
【００６５】
また、本実施形態では、推定吸収量算定部１４ａは、アウター部材選択ステップを行うアウター部材選択部１４ｃ備えており（図２参照）、このアウター部材選択部１４ｃでアウター部材選択ステップにより選択されたアウター部材の種類に応じて予め設定された所定の係数をかけ合わせて、各々の排尿時の推定吸収量を算定するようになっている。
【００６６】
すなわち、本実施形態では、センサ素子３１が配置された吸収部である尿取りパッド３３は、アウター部材の内側に装着されて用いられるのが一般的であり、アウター部材の種類によって、着用者の肌への尿取りパッド３３の押付けによる密着具合が異なって、尿の広がり具合も変化するため、センサ素子３１によるセンサ感度も異なることになる。このようなアウター部材による影響を考慮して、各々の排尿時における尿吸収量を精度良く推定できるようにする必要がある。このため、本実施形態では、アウター部材の種類によって尿取りパッド３３の着用者の肌への密着具合が異なっても、各々の排尿時における尿吸収量を精度良く推定できるように、アウター部材の種類に応じて予め設定された所定の係数をかけ合わせて、尿吸収量を算出するようになっている。
【００６７】
ここで、アウター部材の種類に応じて設定される所定の係数は、例えば図７に示す、着用者の各姿勢に対応する尿量計算式を、検量線から得て求める方法と同様の方法によって、容易に算出することができる。すなわち、異なるアウター部材を用いた吸収性物品３０を、着用者を模した人形に着用させて、これらのアウター部材毎に、検量線や尿量計算式を求める。求めたこれらのアウター部材毎の検量線や尿量計算式を比較して算出することによって、例えば表３に示すような係数テーブルとして、アウター部材の種類に応じて設定される所定の係数を得ることができる。
【００６８】
【表３】
0006716336.tif 000004
【００６９】
表３に示す係数テーブルでは、尿取りパッド３３が内側に装着されるアウター部材として、例えばテープおむつ、リハビリパンツ、布パンツの３種類のアウター部材を用いたものを例示している。  表３に示す３種類のアウター部材に応じて予め設定された所定の係数は、テープおむつを基準アウター部材とし、この基準アウター部材における係数を１として、基準アウター部材を用いた場合の尿の吸収量と、その他の各々のアウター部材を用いた場合の尿の吸収量とを比較した、相対値として設定することが好ましい。これによって、基準アウター部材を用いた場合の計算式を用いて、その他の各々のアウター部材を用いた場合の精度の良い尿吸収量の算出が可能になる。本実施形態では、例えば基準おむつであるテープおむつの係数は、「１」となっており、リハビリパンツの係数は「０．７」となっており、布パンツの係数は「０．７」となっている。
【００７０】
また、吸収性物品３０によっては、アウター部材の内側に装着された尿取りパッド３３のさらに内側（肌側）に追加して、安心パットが装着されていて、尿量が多い場合に対応できるようになっているものがある。尿取りパッド３３の肌側に安心パットが追加されると、着用者の肌への尿取りパッド３３の押付けによる密着具合が抑制されると共に、安心パッドによる尿の吸収によって、尿の広がり具合も変化するため、安心パットを追加した場合の係数も、予め求めておくことが好ましい。本実施形態では、安心パットを追加した場合の係数は、「１．４」として算出されている。
【００７１】
本実施形態によれば、上述のように推定吸収量算定部１４ａがアウター部材選択部１４ｃを備えていることにより、センサ素子３１が配置された尿取りパッド３３が装着されるアウター部材の種類に応じて、各々の排尿時における尿吸収量を精度良く推定することが可能になる。
【００７２】
各々の排尿時における尿吸収量の経時的変化のデータについて、推定吸収量を算定したら、図１２に示すように、算定された推定吸収量から、各々の排尿時における尿吸収量の経時的変化のデータが、吸収性物品３０であるおむつを交換した後、何回目の排尿時における尿吸収量の経時的変化のデータであるかを判定する。すなわち、まず、例えばデータベース部２４に蓄積されている、おむつの交換時の時刻データ等と照合することで、排尿時における尿吸収量の経時的変化のデータが、おむつを交換した後、最初の排尿時のデータであるか否かを判定する。これによって、おむつ交換の影響をなくすことが可能になる。おむつを交換した後、最初の排尿時のデータではないと判定された場合には、今回の排尿時の推定吸収量が、前回の排尿時の推定吸収量よりも多いか否かを判定して、前回の排尿時の推定吸収量よりも多くない場合には、ノイズと判断してカットする。また、今回の排尿時の推定吸収量が、前回の排尿時の推定吸収量よりも多い場合には、今回の排尿時の推定吸収量から、前回の排尿時の推定吸収量を差し引いて、今回の排尿時のみの１回分の推定吸収量を算出する。算出された今回の排尿時のみの１回分の推定排尿量が、判定値として例えば２５ｇを下回るか否かを判定して、判定値を下回る場合には、排尿動態解析部１５で排尿動態を解析するのに有効な経時的変化のデータではない、ノイズと判断してカットする。さらに、算出された今回の排尿時のみの１回分の推定吸収量が、判定値以上である場合には、今回の排尿時のデータを、排尿動態を解析するのに有効な尿吸収量のデータとして採用する。
【００７３】
一方、おむつを交換した後、最初の排尿時のデータであると判定された場合には、推定吸収量が０よりも多いか否かを判定して、０よりも多くない場合には、ノイズと判断してカットする。また、最初の排尿時の推定吸収量が、０よりも多い場合には、その時の推定吸収量が、判定値として例えば２５ｇを下回るか否かを判定して、判定値を下回る場合には、排尿動態解析部１５で排尿動態を解析するのに有効な経時的変化のデータではない、ノイズと判断してカットする。最初の排尿時の推定吸収量が、判定値以上である場合には、その時の排尿時のデータを、最初の排尿時の排尿動態を解析するのに有効な尿吸収量のデータとして採用する。
【００７４】
これらによって、排尿選出部１４では、排尿動態解析部１５で排尿動態を解析するのに有効な、各々の排尿時における尿吸収量の経時的変化のデータを、精度良く選び出すことが可能になる。
【００７５】
また、本実施形態では、排尿解析部１１は、上述のように、姿勢判定部１６を備えており、姿勢判定部１６は、姿勢判定ステップとして、着用者に取り付けられた３軸加速度センサ４３から送られる出力値から、着用者の姿勢を判定するようになっている。また排尿選出部１４は、吸収性物品交換判定部１４ｄを備えており（図２参照）、吸収性物品交換判定部１４ｄは、吸収性物品交換判定ステップとして、複数のセンサ素子３１から送られる出力値が、吸収性物品３０が尿を吸収する前の初期設定値に戻った際に、３軸加速度センサ４３から送られる出力値を確認して、３軸加速度センサ４３からの出力値に変化があった場合にオムツ交換がなされたと判定し、３軸加速度センサ４３からの出力値に変化がない場合にオムツ交換がなされていないと判定するようになっている。
【００７６】
すなわち、本実施形態では、複数のセンサ素子３１によって測定されるインピーダンスの出力は、上述のように、センサ素子３１と接続して吸収性物品３０に着脱可能に取り付けられた、インピーダンス検出回路４２等を備えるデータ収集手段４０を介して、排尿動態解析装置１０を構成する例えば情報処理手段２０に送られるようになっている。着用者の姿勢の変化等によって、故意に或いは誤って、データ収集手段４０が吸収性物品３０から外れること等により、データ収集手段４０のセンサ素子３１との接続が切断されると、複数のセンサ素子３１から送られる出力値が、吸収性物品３０が尿を吸収する前の初期設定値に戻ることで、排尿動態解析装置１０は、おむつ交換がなされたと誤って認識するおそれがある。このようなおむつ交換の誤認識を回避できるようにするために、本実施形態では、着用者に取り付けられた３軸加速度センサ４３から送られる出力値を確認することで、おむつ交換がなされたと誤認識されるのを、効果的に回避できるようになっている。
【００７７】
例えば、複数のセンサ素子３１から送られる出力値は、吸収性物品３０が尿を吸収する前の初期設定値として、例えば２４７となるように設定されていると共に、データ収集手段４０とセンサ素子３１との接続が切断されると、複数のセンサ素子３１から送られる出力値は、例えば２５０となるように設定されている。このため、例えば図１４（ａ）、（ｂ）に示すように、複数のセンサ素子３１から送られる出力値が、尿を吸収している状態である例えば２００前後の値から、初期設定値である２４７以上の値に戻ると、例えばデータ収集手段４０を吸収性物品３０から取り外しておむつ交換したことで、データ収集手段４０とセンサ素子３１との接続が切断されたと誤って判定されやすくなる。
【００７８】
一方、おむつ交換が実際になされた場合には、吸収性物品３０が着用者から取り外されることで、吸収性物品３０に取り付けられた３軸加速度センサ４３は、ランダムな方向に不規則に傾くことによって、３軸加速度センサ４３から送られる出力値は、不規則に乱れた状態で変化することになると考えられる。
【００７９】
このようなことから、吸収性物品交換判定部１４ｄは、複数のセンサ素子３１から送られる出力値の経時的変化と共に、３軸加速度センサ４３から送られる、好ましくはＺ軸方向の出力値の経時的変化を見て、複数のセンサ素子３１から送られる出力値が、吸収性物品３０が尿を吸収する前の初期設定値に戻った際に、３軸加速度センサ４３から送られるＺ方向の出力値を確認して、図１４（ａ）に示すように、Ｚ方向の出力値に変化がない場合に、オムツ交換がなされていないノイズと判定する。また、図１４（ｂ）に示すように、吸収性物品３０が尿を吸収する前の初期設定値に戻った際に、３軸加速度センサ４３から送られるＺ方向の出力値を確認して、Ｚ軸方向の出力値に変化があった場合に、オムツ交換がなされたと判定する。
【００８０】
これらによって、本実施形態によれば、おむつ交換がなされたと誤認識されるのを、効果的に回避することが可能になる。
【００８１】
またこれによって、例えば着用者が、吸収性物品３０の腹側領域に、金属製のスナップ６０（図１参照）を介して着脱可能に固定されたデータ収集手段４０の部分に、意識的にあるいは無意識に触れることで、スナップ６０が外れることにより、おむつ交換がなされたと誤認識されるのを、効果的に回避することが可能になる。
【００８２】
本実施形態では、排尿解析部１１は、さらに、お知らせ判定部１７を備えている（図２参照）。お知らせ判定部１７では、排尿選出部１４あるいは吸収量算定部１２の出力を監視して、吸収性物品３０に吸収された尿吸収量が所定の設定値を超えたことを判定できるようになっており、尿吸収量が所定の設定値を超えた際に、例えば排尿後の残尿量を測定するタイミングであることを通知するようになっている。本実施形態では、お知らせ判定部１７は、図１５に示すように、お知らせ方法として、排尿抽出部１３で抽出された今回の排尿時の尿吸収量の経時的変化のデータについて、今回の排尿時のみの１回の吸収量が判定値を超えたか否かを判定する方法と、今回の排尿後の吸収量の総量が判定値を超えたか否かを判定する方法との、いずれかを選択できるようになっている。すなわち、今回の排尿時のみの吸収量が選択された場合には、例えば排尿選出部１４の出力を監視して、今回の排尿時のみの吸収量が判定値を超えたと判定された際に、外部への通知対象とする。今回の排尿後の吸収量の総量が選択された場合には、例えば吸収量算定部１２の出力を監視して、今回の排尿後の吸収量の総量が判定値を超えたと判定された際に、外部への通知対象とする。外部への通知対象となった情報は、通知手段２５（図１参照）を介して、例えば看護士等の介護者が携帯する末端機器２６に通知することで、排尿後の残尿量を測定するタイミングや、吸収性物品３０であるおむつを交換するタイミング等を、効率良く知らせることができる。またこれによって、介護者による巡回の頻度を少なくして、介護者の負担を軽減することが可能になる。今回の排尿時のみの吸収量が判定値を超えていないと判定された場合や、今回の排尿後の吸収量の総量が判定値を超えていないと判定された場合は、引き続き計測が続けられる。
【００８３】
排尿解析部１１の排尿動態解析部１５では、排尿動態解析ステップとして、排尿選出部１４によって選び出された、各々の排尿時における尿吸収量の経時的変化のデータから、各々の排尿時における排尿動態を解析するようになっている。すなわち、排尿動態解析部１５では、図１６に示すように、排尿選出部１４によって選び出された、各々の排尿時における尿吸収量の経時的変化のデータから、各々の吸収時刻における１秒あたりの尿量（尿流率）を算定して、例えば図１７（ａ）、（ｂ）に示すような、尿流率（ｇ／ｓｅｃ）のグラフ（尿流率曲線）を、排尿動態として表示できるようになっている。図１７（ａ）、（ｂ）のグラフ表示では、グラフを見やすくするために、尿流率を移動平均してプロットしており、好ましくは３〜７点移動平均で平滑化することが好ましい。また、グラフを図の中央付近に配置するために、横軸の測定点数を０から１００とした場合は、３０〜５０の間の位置に排尿検出時刻を配置することが好ましい。
【００８４】
また、排尿動態解析部１５では、排尿時間を測定して、平均尿流率及び最大尿流率を算出するようになっている。すなわち、図１６に示すように、例えば図１７（ａ）、（ｂ）に示す尿流率のグラフ表示（尿流率曲線）において、排尿検出時刻を横軸（測定点数）の４０の位置に設定して排尿動態を表示し、横軸の値が設定値（２０〜８０）の範囲で、縦軸の値が０よりも大きい時のデータ点数をカウントする。このカウント数に測定間隔を掛けることによって、吸収開始から吸収の終わりまでの排尿時間を算出することができる。また算出した吸収開始から吸収の終わりまでの排尿時間で、排尿量を割ることによって、平均尿流率を算出することができる。さらに、例えば横軸（測定点数）の値が２０から８０の範囲で計測した尿流率の最大値を検出することによって（図１７（ａ）参照）、最大尿流率を算定することが可能になる。また、例えば図１７（ａ）、（ｂ）に示す尿流率のグラフ表示（尿流率曲線）から、例えば尿の勢いや、広がりの様子を解析することが可能になると共に、尿取りパッド３３に含まれる吸水性ポリマーによる影響を解析することも可能になる。例えば、図１１（ｂ）の矢印の部分は、ポリマーの吸収が間に合わないことを示している。
【００８５】
そして、上述の構成を備える本実施形態の排尿動態解析装置１０もしくは該排尿動態解析装置１０により実現される排尿動態解析方法によれば、吸収性物品３０に取り付けられた複数のセンサ素子３１によって測定されたデータから、排尿以外のものによる影響を除去して、平均尿流率、最大尿流率、尿流率曲線等の排尿動態を、精度良く解析することが可能になる。
【００８６】
すなわち、本実施形態によれば、排尿動態解析装置１０は、吸収量算定部１２と、排尿抽出部１３と、排尿選出部１４と、排尿動態解析部１５とを含んで構成される排尿解析部１１を具備しており、排尿抽出部１３は、吸収量算定部１２で算定された各々の測定時の尿吸収量のデータから、ノイズを除去して、排尿時における吸収性物品３０による尿吸収量の経時的変化のデータを抽出するようになっており、排尿選出部１４は、排尿抽出部１３によって抽出された排尿時における尿吸収量の経時的変化のデータについて、吸収性物品３０を交換した後、何回目の排尿時における尿吸収量の経時的変化のデータかを判定して、各々の排尿時における尿吸収量の経時的変化のデータを選び出すようになっている。
【００８７】
したがって、本実施形態の排尿動態解析装置１０もしくは該排尿動態解析装置１０により実現される排尿動態解析方法によれば、吸収性物品に取り付けられた複数のセンサ素子によって測定された、インピーダンスの経時的な変化に基づく排尿データから、排尿以外の、汗等の他の体液による影響や、おむつ交換等によるその他の要因による影響を効果的に取り除くことができると共に、個々の排尿時における吸収性物品３０による尿吸収量の経時的変化のデータを精度良く取り出すことができるので、取り出された精度の良い尿吸収量の経時的変化のデータを用いて、平均尿流率、最大尿流率、尿流率曲線等の排尿動態を、精度良く解析することが可能になる。
【００８８】
なお、本発明は上記実施形態に限定されることなく種々の変更が可能である。例えば、本発明の排尿動態解析装置１０は、例えば病院や介護施設等において、被介護者の排尿を一括して管理する排尿管理支援システムに組み込んで用いる必要は必ずしも無く、排尿解析部は、お知らせ判定部や、微分波形判定部を備えていなくても良い。
【符号の説明】
【００８９】
１０  排尿動態解析装置
１１  排尿解析部
１２  吸収量算定部
１３  排尿抽出部
１４  排尿選出部
１４ａ  推定吸収量算定部
１４ｂ  排尿時排尿量算定時設定部
１４ｃ  アウター部材選択部
１４ｄ  吸収性物品交換判定部
１５  排尿動態解析部
１６  姿勢判定部
１７  お知らせ判定部
１８  微分波形判定部
１９  データ取得部
２０  情報処理手段
２１  表示手段
２２  入力手段
２３  出力手段
２４  データベース部
２５  通知手段
２６  末端機器
２７  スイッチ
２８  中継器
２９  院内交換器
３０  吸収性物品（おむつ）
３１  センサ素子
３２  静電容量センサシート
３３  尿取りパッド
３４  コネクター部
４０  データ収集手段
４１  ハウジング
４２  インピーダンス検出回路
４３  加速度センサ
４４  データロガー
４５  タイマー
５０  排尿管理支援システム
６０  スナップ
【図１】
0006716336.tif 000005
【図２】
0006716336.tif 000006
【図３】
0006716336.tif 000007
【図４】
0006716336.tif 000008
【図５】
0006716336.tif 000009
【図６】
0006716336.tif 000010
【図７】
0006716336.tif 000011
【図８】
0006716336.tif 000012
【図９】
0006716336.tif 000013
【図１０】
0006716336.tif 000014
【図１１】
0006716336.tif 000015
【図１２】
0006716336.tif 000016
【図１３】
0006716336.tif 000017
【図１４】
0006716336.tif 000018
【図１５】
0006716336.tif 000019
【図１６】
0006716336.tif 000020
【図１７】
0006716336.tif 000021